(57)【要約】【課題】係合部材が往復移動する際のがたつきを抑制することにある。【解決手段】レベルワインド機構５０は、ウォームシャフト５と、係合部材７と、摺動部材８と、蓋部材９とを備える。蓋部材９は、蓋本体部９１と保持部９２とを有する。蓋本体部９１は、第１貫通孔８１の一端を覆う。保持部９２は、筒状であって、第１貫通孔８１内に収容される。また、保持部９２は、第１貫通孔８１の内周面と係合部材７の外周面との間に配置される。そして、保持部９２は、係合部材７を摺動回転可能に保持する。【選択図】図３
2015136337.tif 000002
【特許請求の範囲】
【請求項１】
釣り用リールの往復移動機構であって、
螺旋溝を有するウォームシャフトと、
前記螺旋溝に係合する係合部材と、
貫通孔を有し、前記ウォームシャフトに沿って摺動する摺動部材と、
前記貫通孔内に収容される筒状の保持部、及び前記貫通孔の一端を覆う蓋本体部、を有する蓋部材と、
を備え、
前記保持部は、前記貫通孔の内周面と前記係合部材の外周面との間に配置され、前記係合部材を摺動回転可能に保持する、
往復移動機構。
【請求項２】
前記保持部は、前記貫通孔の内周面と接触する外側筒部と、前記外側筒部の内周面と前記係合部材の外周面との間に配置される内側筒部と、を有する、
請求項１に記載の往復移動機構。
【請求項３】
前記内側筒部は、樹脂からなる摺動ブッシュである、
請求項２に記載の往復移動機構。
【請求項４】
前記内側筒部は、ベアリングである、
請求項２に記載の往復移動機構。
【請求項５】
前記貫通孔は、内周面の少なくとも一部に雌ネジ部が形成され、
前記保持部は、外周面の少なくとも一部に前記雌ネジ部に螺合する雄ネジ部が形成される、
請求項１から４のいずれかに記載の往復移動機構。
【請求項６】
前記保持部は、前記貫通孔の貫通方向の長さより長い、
請求項１から５のいずれかに記載の往復移動機構。
【請求項７】
前記螺旋溝と前記係合部材との係合を可能とする窓部を有し、前記ウォームシャフトの外周側に配置され、前記摺動部材を案内する筒状の案内部材をさらに備える、
請求項１から６のいずれかに記載の往復移動機構。
【請求項８】
前記保持部の一部は、前記窓部に収容される、
請求項７に記載の往復移動機構。
【請求項９】
前記摺動部材は、釣糸を案内するための釣糸案内部を有する、
請求項１から８のいずれかに記載の往復移動機構。
【発明の詳細な説明】
【技術分野】
【０００１】
本発明は、釣り用リールの往復移動機構に関するものである。
【背景技術】
【０００２】
一般的に、多くの釣り用リールは、往復移動機構を備えている。例えば、特許文献１に示すように、両軸受リールは、スプールに釣糸を均一に巻くために往復移動機構（いわゆるレベルワインド機構）を備えている。
【０００３】
一般的な往復移動機構は、螺旋溝を有するウォームシャフトと、係合部材と、摺動部材とを備えている。係合部材は、ウォームシャフトの螺旋溝に係合している。ウォームシャフトが回転することによって、係合部材はウォームシャフトに沿って往復移動する。摺動部材は、係合部材を保持しており、係合部材と一体的に往復移動する。
【先行技術文献】
【特許文献】
【０００４】
【特許文献１】特開２０１３−２４３９９７号公報
【発明の概要】
【発明が解決しようとする課題】
【０００５】
上述したように、係合部材がウォームシャフトに沿って往復移動することによって、摺動部材も往復移動する。この結果、摺動部材によって案内された釣糸が、スプール上に均一に巻き付けられる。このため、係合部材がスムーズに往復移動することは重要である。したがって、係合部材が往復移動する際のがたつきを抑制することが要望される。
【０００６】
本発明の課題は、係合部材が往復移動する際のがたつきを抑制することにある。
【課題を解決するための手段】
【０００７】
本発明に係る往復移動機構は、釣り用リールの往復移動機構である。この往復移動機構は、ウォームシャフトと、係合部材と、摺動部材と、蓋部材とを備える。ウォームシャフトは、螺旋溝を有する。係合部材は、螺旋溝に係合する。摺動部材は、貫通孔を有し、ウォームシャフトに沿って摺動する。蓋部材は、保持部及び蓋本体部を有する。保持部は、貫通孔内に収容され、筒状に形成されている。蓋本体部は、貫通孔の一端を覆う。保持部は、貫通孔の内周面と係合部材の外周面との間に配置され、係合部材を摺動回転可能に保持する。
【０００８】
従来の往復移動機構では、係合部材は、摺動部材に形成された貫通孔によって保持されていた。これに対して、本発明の往復移動機構では、筒状の保持部によって係合部材を保持している。このため、従来の往復移動機構に比べて、保持部は、よりウォームシャフトの近くにおいて、係合部材を保持することができる。この結果、係合部材が往復移動する際のがたつきを抑制することができる。
【０００９】
また、上述したように、保持部が係合部材のがたつきを抑制することができるため、係合部材の軸方向長さを従来のものに比べて短くすることができる。換言すると、摺動部材の貫通孔の軸方向長さを従来のものに比べて短くすることができ、ひいては、摺動部材をコンパクト化することができる。
【００１０】
好ましくは、保持部は、外側筒部と内側筒部とを有する。外側筒部は、貫通孔の内周面と接触する。内側筒部は、外側筒部の内周面と係合部材の外周面との間に配置される。
【００１１】
この構成によれば、内側筒部と外側筒部とを別部材によって構成することができる。このため、内側筒部を摩擦係数の低い材質で形成することによって、係合部材がよりスムーズに回転摺動することができる。
【００１２】
内側筒部は、樹脂からなる摺動ブッシュ、又はベアリングとすることができる。
【００１３】
内側筒部は、貫通孔の貫通方向の長さより長くなるように構成することができる。また、外側筒部は、貫通孔の貫通方向の長さより短くなるように構成することができる。
【００１４】
好ましくは、貫通孔は、内周面の少なくとも一部に雌ネジ部が形成される。保持部は、外周面の少なくとも一部に雌ネジ部に螺合する雄ネジ部が形成される。この構成によれば、摺動部材の貫通孔内に収容された保持部によって、蓋部材は摺動部材と固定することができる。この結果、蓋部材は、蓋本体部以外の部分を摺動部材内に収容することができ、よりコンパクト化することができる。
【００１５】
保持部は、貫通孔の貫通方向の長さより長くなるように構成することができる。
【００１６】
好ましくは、往復移動機構は、筒状の案内部材をさらに備える。案内部材は、ウォームシャフトの外周側に配置され、摺動部材を案内する。案内部材は、螺旋溝と係合部材との係合を可能とする窓部を有する。この構成によれば、摺動部材の往復移動をよりスムーズにすることができる。
【００１７】
保持部の一部は、窓部に収容されてもよい。
【００１８】
摺動部材は、釣糸を案内するための釣糸案内部を有してもよい。
【発明の効果】
【００１９】
本発明によれば、係合部材が往復移動する際のがたつきを抑制することができる。
【図面の簡単な説明】
【００２０】
【図１】両軸受リールの斜視図。
【図２】両軸受リールの断面図。
【図３】レベルワインド機構の断面図。
【図４】レベルワインド機構の斜視図。
【図５】変形例１に係るレベルワインド機構の断面図。
【図６】変形例２に係るレベルワインド機構の断面図。
【図７】変形例２に係る別のレベルワインド機構の断面図。
【発明を実施するための形態】
【００２１】
以下、本発明に係る往復移動機構の実施形態について図面を参照しつつ説明する。図１は往復移動機構を備える両軸受リールの斜視図、図２はその断面図を示す。
【００２２】
図１及び図２に示すように、本実施形態に係る両軸受リール１００は、前方（図１の左上方向）へ釣糸を繰り出す。両軸受リール１００は、リール本体１と、ハンドル２と、回転伝達機構３と、スプール４と、レベルワインド機構５０（往復移動機構の一例）と、を備えている。
【００２３】
図１に示すように、リール本体１は、第１本体部１１と、第２本体部１２と、複数の連結部１３と、装着部１４とを有する。第１本体部１１と第２本体部１２とは、互いに対向している。図２に示すように、第１本体部１１と第２本体部１２とによって、スプール軸４１を支持している。
【００２４】
図１に示すように、各連結部１３は、第１本体部１１と第２本体部１２とを連結している。装着部１４は、前後方向に延びており、釣竿に装着されるように構成されている。各連結部１３のうち、少なくとも１つの連結部１３が、装着部１４に固定されている。
【００２５】
図２に示すように、ハンドル２は、第１本体部１１の外側面に回転可能に装着されている。ハンドル２を回転操作することによって、回転伝達機構３を介して、スプール４及びレベルワインド機構５０を駆動する。
【００２６】
回転伝達機構３は、ハンドル２の回転をスプール４、及びレベルワインド機構５０に伝達する機構である。回転伝達機構３は、第１本体部１１内に設置されている。回転伝達機構３は、駆動軸３１、駆動ギア３２、ピニオンギア３３、第１ギア３４、及び第２ギア３５を有する。
【００２７】
駆動軸３１は、ハンドル２と連結されており、ハンドル２と一体的に回転する。なお、駆動軸３１は、ワンウェイクラッチ３６によって、釣糸繰り出し方向への回転が禁止される。駆動ギア３２は、駆動軸３１に装着され、駆動軸３１と一体的に回転する。ピニオンギア３３は、駆動ギア３２にかみ合う。なお、ピニオンギア３３は筒状である。第１ギア３４は、駆動軸３１に装着され、駆動軸３１と一体的に回転する。第２ギア３５は、第１ギア３４に噛み合う。
【００２８】
スプール４は、第１本体部１１と第２本体部１２との間に配置されている。スプール４の外周面には、釣糸が巻き付けられる。スプール４は、スプール軸４１に固定され、スプール軸４１と一体的に回転する。
【００２９】
スプール軸４１は、軸受部材を介して、第１本体部１１及び第２本体部１２に回転可能に支持される。スプール軸４１の第１本体部１１側の端部が、ピニオンギア３３内を貫通する。スプール軸４１は、クラッチ機構を介してピニオンギア３３と係合している。クラッチ機構をクラッチオン状態にすると、スプール軸４１とピニオンギア３３とは、互いに係合して一体的に回転可能となる。また、クラッチ機構をクラッチオフ状態にすると、スプール軸４１とピニオンギア３３との係合が解除され、互いに独立して相対的に回転可能となる。詳細には、ピニオンギア３３は、スプール軸４１に貫通する係合ピン４２を介して、スプール軸４１に係合したり、その係合が解除されたりする。ピニオンギア３３は、図２の左側に移動すれば係合ピン４２と係合し、図２の右側に移動すれば係合ピン４２との係合が解除される。
【００３０】
図３はレベルワインド機構５０を示す断面図、図４はレベルワインド機構５０を示す斜視図である。レベルワインド機構５０は、釣糸をスプール４上に均一に巻きつけるために往復移動する機構である。図３及び図４に示すように、レベルワインド機構５０は、ウォームシャフト５、案内部材６、係合部材７、摺動部材８、及び蓋部材９を有する。
【００３１】
図２に示すように、ウォームシャフト５は、円柱状に形成されており、外周面に螺旋溝５１を有する。ウォームシャフト５は、スプール軸４１と実質的に平行に延びている。また、ウォームシャフト５は、第１本体部１１と第２本体部１２との間を延びている。
【００３２】
ウォームシャフト５の第１端部５２は、第１本体部１１に回転可能に支持されている。ウォームシャフト５の第１端部５２は、軸受部材を介して、第１本体部１１に支持されていてもよい。また、ウォームシャフト５の第２端部５３は、第２本体部１２に回転可能に支持されている。ウォームシャフト５の第２端部５３は、軸受部材を介して、第２本体部１２に支持されていてもよい。
【００３３】
ウォームシャフト５の第１端部５２には、上述した第２ギア３５が装着されている。ウォームシャフト５は、第２ギア３５と一体的に回転可能である。ウォームシャフト５は、ハンドル２の回転に連動して回転する。詳細には、ハンドル２を回転させると、駆動軸３１及び第１ギア３４を介して、第２ギア３５が回転し、この結果、ウォームシャフト５が回転する。
【００３４】
案内部材６は、摺動部材８を案内するための部材である。案内部材６は、円筒状に形成されており、ウォームシャフト５の外周側に配置される。案内部材６は、ウォームシャフト５と実質的に平行に延びている。また、案内部材６は第１本体部１１と第２本体部１２との間を延びている。案内部材６の第１端部は、第１本体部１１に回転不能に支持されている。また、案内部材６の第２端部は、第２本体部１２に回転不能に支持されている。
【００３５】
図１及び図３に示すように、案内部材６は、窓部６１を有している。窓部６１は、係合部材７が螺旋溝５１と係合することを可能とする。窓部６１は、案内部材６の長手方向に沿って形成されている。つまり、窓部６１は、ウォームシャフト５に沿って形成されている。窓部６１は、両軸受リール１００の使用時において、下方に開口している。
【００３６】
図３に示すように、係合部材７は、ウォームシャフト５の螺旋溝５１に係合するように構成されている。係合部材７は、窓部６１を介して、案内部材６の外部から案内部材６の内部へと延びている。係合部材７は、軸部７１と係合爪部７２とを有する。軸部７１は、実質的に円柱状に形成されている。係合爪部７２は、螺旋溝５１と係合するように構成されている。軸部７１と係合爪部７２とは、一体的に形成されている。
【００３７】
摺動部材８は、ウォームシャフト５に沿って摺動する。詳細には、摺動部材８は、ウォームシャフト５に沿って往復移動する。摺動部材８は、案内部材６によって案内される。摺動部材８は、第１貫通孔８１及び第２貫通孔８２を有する。なお、第１貫通孔８１が本発明の貫通孔に相当する。
【００３８】
第１貫通孔８１は、係合部材７を収容するための孔である。第１貫通孔８１の断面は、円形状に形成されている。第１貫通孔８１の内周面の少なくとも一部には、雌ネジ部８１１が形成されている。第１貫通孔８１は、第２貫通孔８２と連通している。
【００３９】
第２貫通孔８２は、ウォームシャフト５に沿って延びている。第２貫通孔８２内を案内部材６が貫通している。第２貫通孔８２の内周面は、案内部材６の外周面と接触している。これによって、摺動部材８は、案内部材６に案内されている。なお、第２貫通孔８２の断面は、円形状に形成されている。
【００４０】
図４に示すように、摺動部材８は、釣糸を案内するための釣糸案内部８３を有する。釣糸は、スプール４から釣糸案内部８３を通って前方に延びる。なお、釣糸案内部８３は、摺動部材８を貫通する穴であって、縦長形状に形成されている。
【００４１】
図３に示すように、蓋部材９は、蓋本体部９１と保持部９２と、とを有している。蓋本体部９１は、第１貫通孔８１の一端を覆うように構成されている。保持部９２は、円筒状に形成されており、蓋本体部９１から延びている。保持部９２は、第１貫通孔８１内に収容されている。また、保持部９２は、第１貫通孔８１の内周面と係合部材７の外周面との間に配置されている。詳細には、保持部９２は、第１貫通孔８１の内周面と軸部７１の外周面との間に配置されている。保持部９２は、係合部材７を摺動回転可能に保持する。
【００４２】
係合部材７の軸部７１は、保持部９２内に収容されている。保持部９２の内径は、係合部材７の軸部７１の外径とほぼ同じ寸法に設計されている。詳細には、係合部材７の軸部７１が保持部９２内において軸周りに回転可能となる程度に、軸部７１の外径は、保持部９２の内径よりも小さい。
【００４３】
保持部９２は、外周面の少なくとも一部に、雄ネジ部９２１が形成されている。この雄ネジ部９２１が、第１貫通孔８１の内周面に形成された雌ネジ部８１１に螺合する。すなわち、保持部９２は、摺動部材８に固定されており、係合部材７を保持している。この蓋部材９の外側面は、図４から分かるように、摺動部材８の外側面と滑らかに連続している。
【００４４】
次に、上述したように構成されたレベルワインド機構５０の動作について説明する。
【００４５】
まず、ハンドル２を回転させると、駆動軸３１、第１ギア３４、及び第２ギア３５を介して、ウォームシャフト５が回転する。このウォームシャフト５の回転によって、係合部材７がウォームシャフト５に沿って往復移動する。係合部材７は蓋部材９に保持されており、蓋部材９は摺動部材８に固定されているため、摺動部材８も係合部材７とともにウォームシャフト５に沿って往復移動する。この結果、摺動部材８の釣糸案内部８３によって案内される釣糸が、スプール４上に均一に巻かれる。
【００４６】
［特徴］
本実施形態に係るレベルワインド機構５０は、次の特徴を有する。
【００４７】
上記実施形態に係るレベルワインド機構５０は、ウォームシャフト５と、係合部材７と、摺動部材８と、蓋部材９とを備える。ウォームシャフト５は、螺旋溝５１を有する。係合部材７は、螺旋溝５１に係合する。摺動部材８は、第１貫通孔８１を有し、ウォームシャフト５に沿って摺動する。蓋部材９は、蓋本体部９１と保持部９２とを有する。蓋本体部９１は、第１貫通孔８１の一端を覆う。保持部９２は、筒状であって、第１貫通孔８１内に収容される。また、保持部９２は、第１貫通孔８１の内周面と係合部材７の外周面との間に配置される。そして、保持部９２は、係合部材７を摺動回転可能に保持する。
【００４８】
上述したレベルワインド機構５０では、筒状の保持部９２によって係合部材７を保持している。このため、従来の往復移動機構に比べて、保持部９２は、よりウォームシャフト５の近くにおいて、係合部材７を保持することができる。この結果、保持部９２は、係合部材７が往復移動する際のがたつきを抑制することができる。
【００４９】
また、上述したように、保持部９２が係合部材７のがたつきを抑制することができるため、係合部材７を保持するための軸方向長さを従来のものに比べて短くすることができる。すなわち、摺動部材８の第１貫通孔８１の軸方向長さを従来のものに比べて短くすることができ、ひいては、摺動部材８をコンパクト化することができる。
【００５０】
［変形例］
以上、本発明の実施形態について説明したが、本発明はこれらに限定されるものではなく、本発明の趣旨を逸脱しない限りにおいて種々の変更が可能である。
【００５１】
変形例１
例えば、図５に示すように、蓋部材９の保持部９２は、第１貫通孔８１の貫通方向の長さより長くなるように構成してもよい。このように構成することによって、保持部９２は、よりウォームシャフト５の近くにおいて、係合部材７を保持することができる。したがって、係合部材７のがたつきを減らすことができる。なお、保持部９２の先端部は、案内部材６の窓部６１に収容される。
【００５２】
変形例２
図６に示すように、蓋部材９の保持部９２は、外側筒部９２２と、内側筒部９２３とを有するような構成とすることもできる。外側筒部９２２と内側筒部９２３とは、互いに別部材によって構成される。外側筒部９２２は、第１貫通孔８１の内周面と接触する。詳細には、外側筒部９２２は円筒状に形成されている。外側筒部９２２の外周面には、上述した雄ネジ部９２１が形成されている。
【００５３】
内側筒部９２３は、外側筒部９２２の内周面と係合部材７の外周面との間に配置される。詳細には、内側筒部９２３は、円筒状に形成されている。内側筒部９２３は、例えば、樹脂からなる摺動ブッシュであってもよいし、軸受部材であってもよい。図７に示すように、内側筒部９２３は、第１貫通孔８１の貫通方向の長さより長くしてもよい。また、外側筒部９２２は、第１貫通孔の貫通方向の長さより短くしてもよい。
【００５４】
変形例３
本発明は、レベルワインド機構だけではなく、釣り用リールの他の往復移動機構にも適用することができる。例えば、スピニングリールのオシレーティング機構にも本発明を適用することができる。この場合、摺動部材は、釣糸を案内するのではなく、スプールが固定されたスプール軸を前後方向に往復移動させることによって、スプールに釣糸を均一に巻きつける。
【符号の説明】
【００５５】
１００    両軸受リール
５０    レベルワインド機構
５    ウォームシャフト
５１    螺旋溝
６    案内部材
７    係合部材
８    摺動部材
９    蓋部材
９１    蓋本体部
９２    保持部
【図１】
2015136337.tif 000003
【図２】
2015136337.tif 000004
【図３】
2015136337.tif 000005
【図４】
2015136337.tif 000006
【図５】
2015136337.tif 000007
【図６】
2015136337.tif 000008
【図７】
2015136337.tif 000009